(57)【要約】【課題】発光領域にリモコン受信部を配置してもリモコン受信部の誤作動を防止できるＬＥＤ照明器具を提供する。【解決手段】器具本体２０に収容された取付アダプタ２２からの電源供給により発光する環状ＬＥＤ発光部７２の発光領域に、リモコン受信部７５が配置されている。リモコン受信部７５は、環状ＬＥＤ発光部７２の実装面７３１よりも発光方向とは反対側に配置されている。このため、発光領域にリモコン受信部７５を配置してもリモコン受信部７５の誤作動を防止することができる。また、環状ＬＥＤ発光部７２を覆うセンターレンズ７０の表面７０１は、外側縁７０２および内側縁７０３のうちの一方が他方よりも環状ＬＥＤ発光部７２から離れた位置となる傾斜面である。このため、リモコン受信部７５に向けて発射された信号光が、センターレンズ７０の傾斜面を透過してリモコン受信部７５に受信されやすくなる。【選択図】図３
2015204161.tif 000002
【特許請求の範囲】
【請求項１】
器具本体と、
電源部と、
前記電源部からの電源供給により発光する環状の発光領域を有する環状ＬＥＤ発光部と、
前記環状ＬＥＤ発光部の発光領域に配置され、前記環状ＬＥＤ発光部の発光起点よりも発光方向とは反対側に配置されたリモコン受信部と、
前記環状ＬＥＤ発光部を覆う環状の透光性カバーと、を備え、
前記透光性カバーの表面は、外側縁および内側縁のうちの一方が他方よりも前記環状ＬＥＤ発光部から離れた位置となる傾斜面であるＬＥＤ照明器具。
【請求項２】
請求項１に記載のＬＥＤ照明器具において、
前記透光性カバーの表面は、前記外側縁が前記内側縁よりも前記環状ＬＥＤ発光部から離れた位置となる傾斜面であるＬＥＤ照明器具。
【発明の詳細な説明】
【技術分野】
【０００１】
本発明は、リモコンで操作可能なＬＥＤ照明器具に関するものである。
【背景技術】
【０００２】
従来、例えば天井等に取り付けられているＬＥＤ照明器具として、リモコンで操作できるＬＥＤ照明器具が知られている（例えば、特許文献１参照）。
特許文献１に記載のＬＥＤ照明器具は、導光板を用いて例えば、室内の照明を行うものであり、天井面に設置された引掛けシーリングボディに電気的かつ機械的に取り付けられる。すなわち、光源部から出射される光は、導光板の外周部である側端面を入射端面として導光板に入射して、前面側の発光部を発光させて床面等を照明する。
また、ＬＥＤ照明器具は、赤外線リモコン信号受信部を有しており、リモコン送信部からの信号を受けて、ＬＥＤ照明器具のオン・オフ等の操作が可能となっている。
【先行技術文献】
【特許文献】
【０００３】
【特許文献１】特開２０１２−５９４７４号公報
【発明の概要】
【発明が解決しようとする課題】
【０００４】
前述した特許文献１に記載のようなＬＥＤ照明器具においては、床面を照明する発光部の発光領域にリモコン受信部を配置したい場合がある。
しかしながら、発光部からの照明光によりリモコン受信部が誤作動を起こす虞れがあるため、発光領域にリモコン受信部を配置できない。
【０００５】
本発明は、従来の問題を解決するためになされたもので、発光領域にリモコン受信部を配置できるＬＥＤ照明器具を提供することを目的とする。
【課題を解決するための手段】
【０００６】
本発明のＬＥＤ照明器具は、器具本体と、電源部と、前記電源部からの電源供給により発光する環状の発光領域を有する環状ＬＥＤ発光部と、前記環状ＬＥＤ発光部の発光領域に配置され、前記環状ＬＥＤ発光部の発光起点よりも発光方向とは反対側に配置されたリモコン受信部と、前記環状ＬＥＤ発光部を覆う環状の透光性カバーと、を備え、前記透光性カバーの表面は、外側縁および内側縁のうちの一方が他方よりも前記環状ＬＥＤ発光部から離れた位置となる傾斜面であるものである。
【発明の効果】
【０００７】
本発明は、電源部からの電源供給により発光する環状ＬＥＤ発光部の発光領域に、リモコン受信部が配置されている。リモコン受信部は、環状ＬＥＤ発光部の発光起点よりも発光方向とは反対側に配置されている。このため、本発明は、発光領域にリモコン受信部を配置してもリモコン受信部の誤作動を防止することができるという効果を有するＬＥＤ照明器具を提供できる。
【図面の簡単な説明】
【０００８】
【図１】本発明に係る実施形態のＬＥＤ照明器具を天井面に取り付けた状態を下方から見た斜視図
【図２】本発明に係る実施形態のＬＥＤ照明器具を上方から見た斜視図
【図３】本発明に係る実施形態のＬＥＤ照明器具の断面図
【図４】本発明に係る実施形態のＬＥＤ照明器具の上ＬＥＤ発光部付近の断面図
【図５】上カバーを上方から見た斜視図
【図６】上カバーの拡大断面図
【図７】（Ａ）は上導光板を下方から見た斜視図であり、（Ｂ）は（Ａ）中Ｂ―Ｂ位置の拡大断面図
【図８】（Ａ）は図７中ＶＩＩＩ部分の拡大平面図であり、（Ｂ）は（Ａ）中Ｂ―Ｂ位置の断面図
【図９】（Ａ）は器具本体に上ＬＥＤ発光部、下ＬＥＤ発光部および環状ＬＥＤ発光部を取り付けた状態を下方から見た斜視図、（Ｂ）は（Ａ）中Ｂ―Ｂ位置の断面図
【図１０】（Ａ）は回路基板を取り付けたホルダを外側から見た斜視図であり、（Ｂ）は（Ａ）中Ｂ−Ｂ位置の断面図
【図１１】上導光板の突出部と上ホルダの突条部との位置関係を示す斜視図
【図１２】（Ａ）はホルダの正面図であり、（Ｂ）はホルダの底面図であり、（Ｃ）はホルダの側面図
【図１３】（Ａ）は放熱板を取り付けたホルダを内側から見た斜視図であり、（Ｂ）は突起部の拡大斜視図
【図１４】（Ａ）はセンターレンズの断面形状を示す断面図であり、（Ｂ）はセンターレンズの断面形状の変形例を示す断面図
【発明を実施するための形態】
【０００９】
以下、実施形態のＬＥＤ照明器具について、図面を用いて説明する。
図１に示すように、実施形態のＬＥＤ照明器具１０は、例えば天井面１１に取り付けて、主に下方を照明するのに用いることができる。
なお、以下の説明においては、ＬＥＤ照明器具１０を天井面１１に取り付けた状態で、天井面１１側を「上」、天井面１１と反対側（すなわち、床側）を「下」とする。
【００１０】
まず、ＬＥＤ照明器具１０の全体構成を概説する。
図１および図２に示すように、ＬＥＤ照明器具１０は、天井面１１に取り付けられる器具本体２０を有する。
器具本体２０の下側には上導光板（導光板）５０が配置されている。上導光板５０の下側には、上導光板５０を下側から支持する第１挟持部材である上カバー（挟持部材）５１が、器具本体２０に取り付けられている。上カバー５１は、不透光性の部材である。
【００１１】
図１および図３に示すように、上カバー５１の下側には下導光板（導光板）６０が配置されている。下導光板６０の下側には、下導光板６０を下側から支持する不透光性の下カバー６１が設けられている。
下カバー６１は全体円盤形状をしている。下カバー６１の内側には、円盤状のセンターレンズ（透光性カバー）７０が下カバー６１の内周に沿って設けられている。
センターレンズ７０の内側には、円板状の蓋７１が着脱可能に取り付けられている。
【００１２】
以下、各構成部位について詳述する。
図２および図３に示すように、器具本体２０は、例えば、アルミニウム等の金属で全体略円筒形状に形成されている。器具本体２０の中央部には平坦部２３が設けられている。平坦部２３の中央には、開口２１を有する。開口２１には、商用電源に接続されて電力を供給する取付アダプタ（電源部）２２が設けられている。取付アダプタ（電源部）２２は、天井面１１に取り付けられている引掛けシーリング（図示省略）に取り付けられる。また、平坦部２３の上面には、複数個（ここでは、例えば３個）の弾性支持部材２６が取り付けられている。
【００１３】
図４に示すように、器具本体２０は、中央の平坦部２３の外周端から下方に向かって外側へ傾斜するように折り曲げられて、立壁２４が形成されている。立壁２４の下端部は、器具本体２０の中心に対する外側へ折り曲げられて水平部２５が設けられている。水平部（挟持部材）２５は第２挟持部材であり、後述する第１挟持部材である上カバー５１と協働で上導光板５０を厚み方向に挟持する。水平部２５の先端（外周縁）は、断面円形状に折り返されていて、上導光板５０に当接する当接部２５１が設けられている。
立壁２４は、後述する上ＬＥＤ発光部（ＬＥＤ発光部）３０の配置に対応しており、平面視で例えば六角形に形成されている。各立壁２４は、六角柱の各側面のように形成されている（図２も参照）。
【００１４】
従って、蓋７１（図１参照）を外した状態で、取付アダプタ２２を引掛シーリングに取り付けることにより電気的および機械的に接続することにより、器具本体２０が天井面１１に取り付けられる。このとき、弾性支持部材２６は、器具本体２０と天井面１１との間で弾性変形することにより器具本体２０および天井面１１に密着し、これにより器具本体２０がぐらつくことなく固定される。
【００１５】
図４および図５に示すように、上カバー５１は、中央に開口部５１１を有する全体円環形状を呈している。開口部５１１は、後述する下ＬＥＤ発光部（ＬＥＤ発光部）４０の配置に対応し、ここでは平面視六角形に形成されており、開口部５１１に沿って係止壁５１４が設けられている。係止壁５１４は、後述する下ＬＥＤ発光部４０の位置決めをする。
上カバー５１の外周部は、外側に向かって上昇するように傾斜面（円錐面）５１２が設けられている。傾斜面５１２の先端（上端）は、上導光板５０の自重が作用する側の挟持部材であり、先端には上導光板５０に対向する上面に、全周にわたって溝５１３が形成されている（図６参照）。溝５１３は、器具本体２０の水平部２５の当接部２５１と略対向する位置に形成されている。
【００１６】
溝５１３には、平面視で環状の弾性部材５４が設けられる。弾性部材５４としては、防虫性およびシール性を求めるときにはフレンチパイル（ポリエステル）を用いることができる。また、シール性を求める場合には、ポリウレタンエステルフォームやポリウレタンサンフェルトサンフェロンを用いることができる。
弾性部材５４は、溝５１３に注入して充填することができるが、あらかじめＯリング状に形成した後に溝５１３に圧入してもよい。あらかじめＯリング状に形成した弾性部材５４の断面形状は、円形でもよく、あるいは矩形状でもよい。
なお、本実施形態では、一対の挟持部材のうちの一方の挟持部材である上カバー５１の溝５１３にのみ弾性部材５４を設けた場合を例示したが、他方の挟持部材である水平部２５にも弾性部材を設けることができる。
【００１７】
図３および図４に示すように、器具本体２０の水平部２５と上カバー５１との間には、上導光板５０が支持されている。
図７（Ａ）に示すように、上導光板５０は、全体円板形状を呈しており、中央には中空部５２を有する。中空部５２は、器具本体２０に支持され六角形に配置された上ホルダ３１（図９（Ａ）参照）に対応して、平面視六角形に形成されている。中空部５２の内側面は、上ＬＥＤ発光部３０からの光が入射する６個の入射端面５２１となり、入射端面５２１に対して交差する平面（上面、下面５０１）から光を出射させる。なお、上導光板５０は、表面（例えば下面５０１）にリブや印刷を設けて配光制御することができる。
上導光板５０は、下面（平面）５０１における中空部５２側の縁端部に突出部５３が設けられている。
【００１８】
図７（Ｂ）に示すように、突出部５３は、上導光板５０を樹脂により成形する際のゲートにより形成される。突出部５３は、例えば、上導光板５０の下面５０１から遠ざかるに従って先細りとなる台形状を呈している。突出部５３は、上導光板５０の入射端面５２１と同一面に沿う補助入射端面５３１を有するとともに、補助入射端面５３１と反対側には傾斜面（側面）５３２を有する。また、突出部５３における長手方向の両方の端面５３３（図１１参照）は、上導光板５０の下面５０１から遠ざかるに従って互いに接近する方向に傾斜している。
図７（Ａ）に示すように、平面視六角形を形成する中空部５２の平面視各角部、すなわち、６個の入射端面５２１の交点には、上導光板５０の平面視中央から放射方向に所定寸法連続するＵ字形状の切欠部（スリット）５５が設けられている。図８（Ａ）および図８（Ｂ）に示すように、上導光板５０の下面５０１には、各切欠部５５の縁部に沿って下方に突出する全体Ｕ字形状のリブ５６が設けられている。
【００１９】
図８（Ｂ）に示すように、上導光板５０は、切欠部５５を通じて固定ビス５７により器具本体２０に固定される。固定ビス５７は、工具が係合可能、かつ、切欠部５５を挿通不可能な外径を有する頭部５７１と、頭部５７１に連続するとともに切欠部５５を挿通可能な軸部５７２と、軸部５７２に連続するとともに器具本体２０に螺合されるねじ部５７３を有する。また、頭部５７１の座面には、軟質ワッシャ５７４が取り付けられている。
なお、軸部５７２の軸線長さＬ１は、上導光板５０の厚み寸法と、リブ５６の突出寸法との合算値Ｌ２以上である。従って、上導光板５０を器具本体２０に固定する際に、固定ビス５７を器具本体２０に締結すると、軟質ワッシャ５７４がリブ５６の下面５６１に軽く当接して、上導光板５０をフローティング支持している。
【００２０】
従って、上導光板５０は、基端部である切欠部５５を固定ビス５７で器具本体２０に取り付けるとともに、器具本体２０の水平部２５の下面に当接し、上カバー５１の傾斜面５１２の上端の弾性部材５４により、下方から支持される。
【００２１】
図３および図４に示すように、器具本体２０の水平部２５と上カバー５１との間には、上ＬＥＤ発光部３０が収容されている。上ＬＥＤ発光部３０は、上ホルダ（ホルダ）３１と、回路基板３２とを有している。上ホルダ３１は、器具本体２０の内側で、平坦部２３の下面に接するように設けられている。上ホルダ３１は、立壁２４の配置（ここでは、六角形）に対応して６個設けられている（図９（Ａ）参照）。
【００２２】
図１０（Ａ）および図１２に示すように、上ホルダ３１は全体矩形枠状を呈しており、中央部に略Ｃ字状の開口部３１１が設けられている。
上ホルダ３１は、外側面３１４から上導光板５０側に突出する少なくとも一対（ここでは一対）の突条部３１２を有する。
図１１に示すように、一対の突条部３１２は、突出部５３における長手方向の両方の端面５３３を挟む位置に設けられている。突条部３１２は、上導光板５０から遠い側（下側）の端部から入射端面５２１側（上側）に向けて突出高さが増大するテーパー状、例えば台形状に形成されている（図１０（Ｂ）参照）。
また、上ホルダ３１における一対の突条部３１２の間には、被覆部３１３が設けられているのが望ましい。被覆部３１３は、上導光板５０の突出部５３の傾斜面５３２を覆う（図７（Ｂ）参照）。なお、上ホルダ３１は、被覆部３１３が突出部５３の傾斜面５３２に密着せず、突条部３１２が突出部５３の端面５３３に密着しないように、例えば０．５ｍｍ程度の隙間が設けられている。
【００２３】
図１０（Ａ）および図１０（Ｂ）に示すように、上ホルダ３１の開口部３１１には、回路基板３２が取り付けられる。回路基板３２は、実装面３２１に複数のＬＥＤチップ３２２が直線状に実装されている。また、回路基板３２の長手方向両端部には、取付アダプタ２２から点灯電力の供給を受けたり、隣接する他の回路基板３２と電気的に接続するためのコネクタ３２３が設けられている。
上ホルダ３１および上導光板５０が器具本体２０に取り付けられた状態で、各ＬＥＤチップ３２２は、上導光板５０の入射端面５２１に対して、所定の間隔を保持して対向する。
【００２４】
図１３（Ａ）に示すように、上ホルダ３１には、放熱板３３が取り付けられる。放熱板３３は、回路基板３２の実装面３２１と反対側の裏面に接触する接触部３３１と、接触部３３１の上端を回路基板３２から離れる方向に直角に折り曲げて形成された支持部３３２とを有しており、断面Ｌ字形状を呈している。
放熱板３３は、上ホルダ３１との間に回路基板３２を挟んだ状態で、ねじ３４により上ホルダ３１に取り付けられる。これにより、上ホルダ３１、回路基板３２および放熱板３３が一体的となっている。
【００２５】
図１３（Ｂ）に示すように、放熱板３３の支持部３３２には、上方に突出する突起部３３３が２箇所設けられている。突起部３３３は、例えば、支持部３３２の幅方向に所定間隔離れた一対のスリットを設け、スリットの長手方向中央部を上方へ押し上げることにより、Ｖ字状に設けることができる。また、支持部３３２の中央部には、貫通孔３３４が設けられている。
従って、突起部３３３を器具本体２０に設けられている凹部（図示省略）に嵌合させ、固定ビス３５を支持部３３２の貫通孔３３４に通して、器具本体２０に設けられているねじ穴（図示省略）に締結する。これにより、上ホルダ３１、回路基板３２および放熱板３３を器具本体２０に取り付けることができる。
【００２６】
なお、本実施形態では、突起部３３３として固定ビス３５を挟む２箇所の切り起こしにより設けたが、突起部３３３は、１個あるいは３個以上でも可能である。また、突起部３３３の形態も、前述したＶ字形状の切り起こしに限定するものではない。
また、上ＬＥＤ発光部３０は、上ホルダ（ホルダ）３１と、回路基板３２とを有していればよく、放熱板３３の有無は不問である。すなわち、上ＬＥＤ発光部３０は、放熱板３３がない場合でも、器具本体２０に対して上ホルダ（ホルダ）３１が直接的に固定される構造を採用してもよい。
【００２７】
図１および図３に示すように、下カバー６１は、上カバー５１の下側において器具本体２０に支持されている。上カバー５１の下面と、下カバー６１の上端６１１との間には、下導光板６０が支持されている。
下導光板６０は、上導光板５０の平面視相似形状であり、上導光板５０よりも直径寸法が小さい点が上導光板５０との主な相違点である。すなわち、下導光板６０は、前述した上導光板５０と同様の構成をしているので、本実施形態において詳細な説明は省略することとする（図７においてカッコ書き符号参照）。
【００２８】
図３および図９（Ａ）に示すように、器具本体２０の下面に取り付けられている有底の略六角柱形状の台座２７と下カバー６１との間には、下ＬＥＤ発光部４０が設けられている。下ＬＥＤ発光部４０は、下ホルダ４１を有する。
なお、下ホルダ４１は、前述した上ホルダ３１と同様の構成をしているので、本実施形態において詳細な説明は省略することとする（図１０においてカッコ書き符号参照）。
従って、下導光板６０の中空部６２の内周面である入射端面６２１は、下ホルダ４１を構成する回路基板３２のＬＥＤチップ３２２に対向して配置されている。
【００２９】
図３および図４に示すように、下カバー６１は不透光性であり、上端６１１が下導光板６０を支持する。上端６１１には、上カバー５１と同様に、弾性部材５４が設けられている。
【００３０】
図３に示すように、センターレンズ７０の上方には、下方に光を照射する環状ＬＥＤ発光部７２が設けられている。
図９（Ａ）に示すように、環状ＬＥＤ発光部７２は、台座２７の下面に取り付けられる部分円弧状の回路基板７３を複数有する。回路基板７３の下面の実装面７３１には、ＬＥＤチップ７４が円弧状に配列されている。
【００３１】
図９（Ｂ）に示すように、台座２７の下面で環状ＬＥＤ発光部７２の発光領域内である環状に配置された回路基板７３の内側には、リモコン受信部７５が設けられている。リモコン受信部７５は、環状ＬＥＤ発光部７２の発光起点となる回路基板７３の実装面７３１の高さよりも発光方向（図９（Ｂ）中、上方）とは反対側（図９（Ｂ）中、下方）に配置されている。
すなわち、リモコン受信部７５は、環状ＬＥＤ発光部７２の発光起点よりも低い位置に設けられている。
環状ＬＥＤ発光部７２およびリモコン受信部７５は、環状のセンターレンズ（透光性カバー）７０で覆われている。図１４（Ａ）に示すように、センターレンズ７０の表面７０１は、外側縁７０２が内側縁７０３よりも環状ＬＥＤ発光部７２から離れる位置（すなわち、下方）となる傾斜面（擂鉢面）である。
【００３２】
本実施形態では、センターレンズ７０の外側縁７０２が、内側縁７０３よりも下方に突出している。このため、図３に示すように、環状ＬＥＤ発光部７２から発せられた光ＢＭ１の一部は、センターレンズ７０の内面で反射して外向きに反射する（光ＢＭ２）。反射した光ＢＭ２は、下カバー６１に当たって下方に照射される（光ＢＭ３）。
なお、図１４（Ｂ）に示すように、センターレンズ７０は、表面７０１の内側縁７０３が外側縁７０２よりも下方に突出する傾斜面（円錐面）とすることもできる。
【００３３】
また、ＬＥＤ照明器具１０は、上導光板５０において切欠部５５の切欠けを長く設けることで、導光板５０が熱で膨張した際に、導光板５０の全体の反りを緩和することができる。この効果は下導光板６０の切欠部でも同様である。
【００３４】
また、ＬＥＤ照明器具１０は、上導光板５０、下導光板６０を射出成形品で製作する場合、成形の過程で突き出しピン跡が中空部５２、６２の平面視六角形の近辺に形成されるが、特にこれらのピン跡が平面視の各角部でなく、中空部５２、６２の平面視の辺部中央付近に形成されるようにすることで、各角部付近の明るさ低下を緩和できる。
すなわち、ＬＥＤ照明器具１０は、そもそも中空部５２、６２の平面視の角部付近は平面視の辺部中央付近よりも明るさが低下するが、突き出しピン跡が平面視の角部付近にあると、上導光板５０、下導光板６０の内部に導光された光の一部が粗面である突き出しピン跡から出光され、平面視の角部の明るさがさらに低下してしまう。
それに対し、突き出しピン跡を中空部５２、６２の平面視の辺部中央付近に形成されるようにすることで、角部の明るさ低下を緩和できる。
【００３５】
また、上導光板５０、下導光板６０の外周端部形状について、上導光板５０の外周端部を略鉛直に、下導光板６０の外周端部を内側から外側に向かって下がる傾斜面にすることで、天井面や壁面上部に光を回しつつ、下導光板６０からの発光が天井面に上導光板５０の影を生じるのを回避できる。
【００３６】
ＬＥＤ照明器具１０の作用効果について説明する。
ＬＥＤ照明器具１０は、器具本体２０と、電源部（取付アダプタ２２）と、電源部（取付アダプタ２２）からの電源供給により発光するＬＥＤ発光部（上ＬＥＤ発光部３０）と、ＬＥＤ発光部（上ＬＥＤ発光部３０）の光源に対して入射端面５２１が対向するように配置されるとともに、入射端面５２１に対して交差する平面から光を出射させる導光板（上導光板５０）と、を有する。導光板（上導光板５０）は、入射端面５２１に対して交差する平面（下面５０１）から厚み方向に突出する突出部５３を有する。光源としてのＬＥＤ発光部（上ＬＥＤ発光部３０）は、複数のＬＥＤチップ３２２が直線状に実装された回路基板３２と、回路基板３２を保持するとともに器具本体２０に固定されるホルダ（上ホルダ３１）と、を有する。ホルダ（上ホルダ３１）は、平面（下面５０１）に対向する少なくとも一対の突条部３１２を含み、一対の突条部３１２は、平面（下面５０１）に沿う方向において、突出部５３を挟むように所定の距離を隔てた位置に設けられている。
【００３７】
このため、ＬＥＤ照明器具１０は、上導光板５０の各突出部５３がそれぞれ一対の突条部３１２により挟まれるので、各突出部５３は上ホルダ３１に対して入射端面５２１の長手方向に沿った方向の移動が規制される。これにより、ＬＥＤ照明器具１０は、各ＬＥＤチップ３２２と上導光板５０の入射端面５２１との長期的な位置決めを維持できるため、入射効率の低下を防止できる。
【００３８】
また、ＬＥＤ照明器具１０は、ホルダ（上ホルダ３１）に支持されて、突出部５３における入射端面５２１とは反対側を向く側面を覆う被覆部３１３を有するものが望ましい。
【００３９】
すなわち、ＬＥＤ照明器具１０は、上ホルダ３１は、上導光板５０の突出部５３における入射端面５２１とは反対側を向く側面を覆う被覆部３１３を有するため、上ホルダ３１の被覆部３１３が、入射端面５２１に対して直交する方向への上導光板５０の移動を規制して位置決めする。従って、ＬＥＤ照明器具１０は、ＬＥＤチップ３２２と入射端面５２１との距離が拡大するのを防止して、入射効率が低下するのを防止できる。
【００４０】
また、ＬＥＤ照明器具１０は、回路基板３２の裏面に接触する接触部３３１と、接触部３３１に連結されて器具本体２０に接触する支持部３３２と、を有する。そして、支持部３３２を貫通して器具本体２０に螺合される固定ビス３５と、支持部３３２から突出して器具本体２０に設けられた凹部に収容される突起部３３３とを有するものが望ましい。
【００４１】
すなわち、ＬＥＤ照明器具１０は、回路基板３２の裏面には接触部３３１が接触し、接触部３３１は接触部３３１に連結している支持部３３２により器具本体２０に支持されるため、回路基板３２の熱が接触部３３１および支持部３３２を介して器具本体２０に伝達されるので、放熱効率が向上する。
【００４２】
また、ＬＥＤ照明器具１０は、支持部３３２は、支持部３３２を貫通して器具本体２０に螺合される固定ビス３５と、支持部３３２から突出して器具本体２０に設けられた凹部に収容される突起部３３３とを有するものが望ましい。
このため、ＬＥＤ照明器具１０は、ＬＥＤチップ３２２が実装された回路基板３２を、上導光板５０に対して位置決めすることができる。
【００４３】
また、ＬＥＤ照明器具１０は、突出部５３は、入射端面５２１の延長面に沿う補助入射端面５３１を有するものが望ましい。
ＬＥＤ照明器具１０は、入射端面５２１の延長面に沿う補助入射端面５３１を突出部５３が有するので、入射端面５２１に入射できなかった光が補助入射端面５３１から入射し、突出部５３の内部で反射して突出部５３から上導光板５０に導光される。すなわち、ＬＥＤ照明器具１０は、入射端面５２１に入射できなかった光を照明光として用いられるため、照明効率が向上する。
【００４４】
さらに、ＬＥＤ照明器具１０は、一対の突条部３１２の各々は、上導光板５０から遠い側の端部から入射端面５２１側に向けて突出高さが増大するテーパー状であるものが望ましい。
【００４５】
すなわち、ＬＥＤ照明器具１０は、一対の突条部３１２の各々は、上導光板５０から遠い側の端部から入射端面５２１側に向けて突出高さが増大するテーパー状であるので、上カバー５１に覆われた領域において上導光板５０から出射した光が、テーパー面により内部反射して再び上導光板５０に戻る。
このため、ＬＥＤ照明器具１０は、上導光板５０の照明効率が向上する。
【００４６】
ＬＥＤ照明器具１０は、器具本体２０と、器具本体２０に収容された電源部（取付アダプタ２２）と、電源部（取付アダプタ２２）からの電源供給により発光するＬＥＤ発光部（上ＬＥＤ発光部３０）と、ＬＥＤ発光部（上ＬＥＤ発光部３０）の発光軸線に入射端面５２１を向けて配置された導光板（上導光板５０）と、を有する。さらに、器具本体２０に支持されて導光板（上導光板５０）を厚み方向に挟持する一対の挟持部材（上カバー５１、水平部２５）と、入射端面５２１と並列してＬＥＤ発光部（上ＬＥＤ発光部３０）に対向するように、導光板（上導光板５０）および挟持部材（上カバー５１、水平部２５）間に設けられた弾性部材５４とを有する。
【００４７】
すなわち、ＬＥＤ照明器具１０は、上導光板５０および上カバー５１間に介装された弾性部材５４とを備えるため、ＬＥＤチップ３２２からの熱により上導光板５０が変形しても弾性部材５４が追従して上カバー５１との間に隙間が生じることを防ぐので、隙間から虫や埃等の異物が侵入することを防止できる。また、ＬＥＤ照明器具１０は、上導光板５０および上カバー５１のうちの一方あるいは双方が経時劣化や室内の温度や湿度の変化により変形したり、上導光板５０が経時劣化により初期形状を維持できずに自重による上カバー５１に対する接触圧が高くなっても、上導光板５０および上カバー５１が弾性部材５４を介して接触しているため、上導光板５０および上カバー５１が互いに擦れあってきしみ音等が発生するのを防止できる。
【００４８】
また、ＬＥＤ照明器具１０は、一対の挟持部材（上カバー５１、水平部２５）のうち、導光板（上導光板５０）の自重が作用する側の挟持部材（上カバー５１）における導光板（上導光板５０）に向く面に溝５１３が設けられ、溝５１３に弾性部材５４としての充填材が充填されているのが望ましい。
また、挟持部材（上カバー５１）における導光板（上導光板５０）に向く面に全周に溝５１３を形成し、その溝５１３全周にわたって弾性部材５４としての充填材を充填して設けることが好ましい。この際、充填材と導光板とが接して設けられた状態が好ましい。溝５１３に充填する場合は、充填材と導光板とが接して設けられるよう溝の縁の高さよりも高くなるよう充填材を設けることが好ましい。
【００４９】
すなわち、ＬＥＤ照明器具１０は、一対の挟持部材である上カバー５１および水平部２５のうち、上導光板５０の自重が作用する側である上カバー５１において上導光板５０と対向する面に溝５１３を設けるとともに、溝５１３に弾性部材５４としての充填材が充填されているため、上導光板５０が弾性部材５４に対して接触した状態を長期間維持できる。
従って、ＬＥＤ照明器具１０は、上導光板５０および上カバー５１間に虫や埃等の異物の侵入を長期間防止できる。
【００５０】
また、ＬＥＤ照明器具１０は、溝５１３に充填材を充填することにより弾性部材５４を設けるので、あらかじめ弾性部材５４をＯリングとして作成してから溝５１３に嵌め込むことによりに弾性部材５４を所定位置に配置する作業に比較して、極めて容易に弾性部材５４を設けることができる。
また、ＬＥＤ照明器具１０は、上導光板５０を弾性部材５４で押えるので、防振性が得られ、振動や点灯消灯に伴う上導光板５０の変形、伸縮による軋み音を防止することができる。
【００５１】
ＬＥＤ照明器具１０は、器具本体２０と、器具本体２０に収容された電源部（取付アダプタ２２）と、電源部（取付アダプタ２２）からの電源供給により発光する環状の発光領域を有する環状ＬＥＤ発光部７２と、を有する。さらに、環状ＬＥＤ発光部７２の発光領域に配置され、環状ＬＥＤ発光部７２の発光起点よりも発光方向とは反対側に配置されたリモコン受信部７５と、環状ＬＥＤ発光部７２を覆う環状の透光性カバー（センターレンズ７０）と、を有する。透光性カバー（センターレンズ７０）の表面７０１は、外側縁７０２および内側縁７０３のうちの一方が他方よりもＬＥＤ発光部（上ＬＥＤ発光部３０）から離れた位置となる傾斜面である。
【００５２】
すなわち、ＬＥＤ照明器具１０は、環状ＬＥＤ発光部７２の発光領域に配置されたリモコン受信部７５が、環状ＬＥＤ発光部７２の発光起点である回路基板７３よりも発光方向とは反対側に配置されている。
このため、ＬＥＤ照明器具１０は、発光領域にリモコン受信部７５を配置してもリモコン受信部７５の誤作動を防止することができる。
【００５３】
また、ＬＥＤ照明器具１０は、環状ＬＥＤ発光部７２は、環状のセンターレンズ７０で覆われている。このセンターレンズ７０の表面７０１は、外側縁７０２および内側縁７０３のうちの一方が他方よりも環状ＬＥＤ発光部７２の発光軸線に対して平行、かつ、環状ＬＥＤ発光部７２から離れる方向に突出する傾斜面である。
このため、ＬＥＤ照明器具１０は、リモコン受信部７５に向けて発射された信号光が、センターレンズ７０の表面７０１を透過してリモコン受信部７５に受信されやすくなる。
【００５４】
また、ＬＥＤ照明器具１０では、透光性カバー（センターレンズ７０）の表面７０１は、外側縁７０２が内側縁７０３よりも環状ＬＥＤ発光部７２から離れた位置となる傾斜面であるものが望ましい。
【００５５】
すなわち、ＬＥＤ照明器具１０は、センターレンズ７０の表面７０１は、外側縁７０２が内側縁７０３よりも環状ＬＥＤ発光部７２から離れた方向となる傾斜面である。
このため、ＬＥＤ照明器具１０は、環状ＬＥＤ発光部７２から発せられた光が、傾斜面により反射してセンターレンズ７０の外側に照射されるので、環状ＬＥＤ発光部７２からの光の照射範囲を広げることができる。
【００５６】
さらに、ＬＥＤ照明器具１０は、器具本体２０と、器具本体２０に収容された電源部（取付アダプタ２２）と、電源部（取付アダプタ２２）からの電源供給により発光するとともに平面視角形状に配置された複数のＬＥＤ発光部（上ＬＥＤ発光部３０）と、を有する。さらに、各ＬＥＤ発光部（上ＬＥＤ発光部３０）の発光軸線に複数の入射端面５２１が対向配置されたことにより、角形状の中空部５２が形成された導光板（上導光板５０）を有する。導光板（上導光板５０）は、中空部５２の各角部から放射方向に所定寸法連続するスリット（切欠部５５）と、各スリット（切欠部５５）の縁部に形成され、導光板（上導光板５０）における器具本体２０に面当接しない側の表面に突出するリブ５６と、を有する。また、スリット（切欠部５５）を通じて導光板（上導光板５０）を器具本体２０に固定する固定ビス５７を有する。固定ビス５７は、工具が係合可能、かつ、スリット（切欠部５５）を挿通不可能な頭部５７１と、頭部５７１の座面に設けられた軟質ワッシャ５７４と、頭部５７１に連続するとともにスリット（切欠部５５）を挿通可能な軸部５７２と、軸部５７２に連続するとともに器具本体２０に螺合されるねじ部５７３と、を有する。軸部５７２の軸線長さＬ１は、導光板（上導光板５０）の厚み寸法と、リブ５６の突出寸法との合算値Ｌ２以上である。
【００５７】
すなわち、ＬＥＤ照明器具１０は、固定ビス５７の軸部５７２の軸線長さＬ１が、上導光板５０の厚み寸法とリブ５６の突出寸法との合算値Ｌ２以上に規定されているため、上導光板５０を器具本体２０に固定するにあたって、固定ビス５７が上導光板５０を厚み方向に沿って過度に強圧しない。ＬＥＤ照明器具１０は、上導光板５０が器具本体２０に対していわばフローティングマウントされているので、上導光板５０にゆがみ、撓み等が生じにくい。
また、ＬＥＤ照明器具１０は、上導光板５０は、中空部５２の平面形状が六角形、外形が円形であるため、角部からの放射方向長さが他部分に比較して短く、撓み強度（垂れ下がり耐性）が若干弱いが、切欠部５５に沿ってリブ５６を立てることにより、上導光板５０の厚み寸法を局部的に補強して、切欠部５５に対応する箇所を起点とする垂れ下がり変形を抑制することができる。
【００５８】
ＬＥＤ照明器具は、前述した実施形態に限定されるものでなく、適宜な変形、改良等が可能である。
例えば、前述した実施形態においては、ＬＥＤ照明器具１０は、上導光板５０および下導光板６０として中央に平面視が六角形の開口を有する全体形状が円板形状のものを例示したが、開口の平面視の形状が、三角形や四角形や五角形等のその他ものでも可能である。また、ＬＥＤ照明器具１０は、上導光板５０および下導光板６０として全体形状が平面視で円板状のもののほか、全体形状が平面視で多角形状のものも適用可能である。
さらに、ＬＥＤ照明器具１０は、上導光板５０および下導光板６０が、中央に開口を有する円環状ではなく、器具本体から左右外側に張り出した矩形状で、一端面を入射端面とする形状のものも適用可能である。
【００５９】
また、前述した実施形態では、ＬＥＤ照明器具１０の突出部５３として、全体形状が台形状であり、一端面が入射端面５２１と面一の補助入射端面５３１とした形態を例示したが、突出部の全体形状は限定しない。すなわち、ＬＥＤ照明器具１０の突出部５３としては、単にピン形状としてもよい。ＬＥＤ照明器具１０は、ピン形状の突出部を採用しても、上導光板５０の面方向に沿って挟む位置に設けた一対の部材により上導光板５０が面方向に移動しないようにすることができる。
【００６０】
また、前述した実施形態では、上ホルダ３１に、突出部５３の傾斜面５３２を覆う被覆部３１３を設けた場合を例示したが、被覆部３１３を設けない場合にも適用可能である。
【符号の説明】
【００６１】
１０  ＬＥＤ照明器具
２０  器具本体
２２  取付アダプタ（電源部）
７０  センターレンズ（透光性カバー）
７０１  表面
７０２  外側縁
７０３  内側縁
７２  環状ＬＥＤ発光部
７３１  実装面（発光起点）
７５  リモコン受信部
【図１】
2015204161.tif 000003
【図２】
2015204161.tif 000004
【図３】
2015204161.tif 000005
【図４】
2015204161.tif 000006
【図５】
2015204161.tif 000007
【図６】
2015204161.tif 000008
【図７】
2015204161.tif 000009
【図８】
2015204161.tif 000010
【図９】
2015204161.tif 000011
【図１０】
2015204161.tif 000012
【図１１】
2015204161.tif 000013
【図１２】
2015204161.tif 000014
【図１３】
2015204161.tif 000015
【図１４】
2015204161.tif 000016